(57)【特許請求の範囲】
【請求項１】
並べて配置された複数台の表示装置と、
前記複数台の表示装置に接続され、複数ページの画像データのうちの、前記複数台の表示装置に対応する表示装置の台数分の異なる画像データをそれぞれ前記複数台の表示装置に表示する制御装置と、
前記制御装置にネットワークを介して接続された外部端末と、
を具備し、
前記外部端末は、
表示部と、
前記複数ページの画像データのうちの、前記台数分の異なる画像データを含む候補ページの画像データを前記表示部に表示する画像データ表示制御部と、
前記表示部に表示された前記候補ページの画像データに対して操作者によりページ操作が行なわれたとき、前記複数ページの画像データのうちの、前記台数分の異なる画像データの次の台数分の異なる画像データを表すページ操作情報を前記制御装置に送信するページ操作制御部と、
を具備し、
前記制御装置は、前記ページ操作情報に応じて、前記次の台数分の異なる画像データを前記複数台の表示装置に表示することを特徴とする表示システム。
【請求項２】
前記画像データ表示制御部は、前記候補ページの画像データを、前記複数台の表示装置が配置されている方向である配置方向に対応して、前記表示部に表示し、
前記ページ操作は、前記表示部に表示された前記候補ページの画像データのうちの１つの画像データをタッチして、前記配置方向にスライドする操作、または、前記１つの画像データを前記配置方向にフリックする操作であることを特徴とする請求項１に記載の表示システム。
【請求項３】
前記異なる画像データは、前記表示装置の台数分の連続したページの画像データであることを特徴とする請求項１又は２に記載の表示システム。
【請求項４】
前記候補ページの画像データは、前記複数ページの画像データのうちの、前記台数分の連続したページの画像データと、前記台数分の連続したページの画像データのうちの最終ページ目の画像データの次のページの画像データとを少なくとも含むことを特徴とする請求項３に記載の表示システム。
【請求項５】
前記候補ページの画像データは、前記複数ページの画像データのうちの、前記台数分の連続したページの画像データと、前記次の台数分の連続したページの画像データとを含み、
前記画像データ表示制御部は、
前記台数分の連続したページの画像データを、前記複数台の表示装置が配置されている方向である配置方向に対応して、前記表示部の第１表示領域に表示し、
前記次の台数分の連続したページの画像データを、前記配置方向に対応して、前記表示部の第２表示領域に表示し、
前記ページ操作は、前記表示部の第２表示領域に表示された前記次の台数分の連続したページの画像データのうちの１つの画像データをタッチして、前記表示部の第１表示領域にスライドする操作、または、前記１つの画像データを前記表示部の第１表示領域にフリックする操作であることを特徴とする請求項３に記載の表示システム。
【請求項６】
前記候補ページの画像データは、前記複数ページの画像データを含み、
前記画像データ表示制御部は、前記複数ページの画像データを前記表示部に表示し、
前記ページ操作は、前記表示部に表示された前記複数ページの画像データのうちの、前記次の台数分の連続したページの画像データをタッチする操作であることを特徴とする請求項３に記載の表示システム。
【請求項７】
前記ページ操作制御部は、
前記表示部に表示された前記候補ページの画像データのうちの、前記複数台の表示装置に対応する表示装置の台数よりも少ない数の画像データが指定画像データとして前記操作者により指定されたとき、前記複数台の表示装置のうちの、前記指定画像データを表示している表示装置を指定表示装置として指定するための指定情報を生成し、
前記表示部に表示された前記候補ページの画像データに対して前記操作者により前記ページ操作が行なわれたとき、前記ページ操作情報を前記制御装置に送信し、
前記ページ操作情報は、前記指定画像データと、前記指定情報と、前記次の台数分の連続したページの画像データのうちの、最終ページ目の画像データから、前記指定画像データの数に対応する画像データを除いた連続したページの画像データである再編成画像データとを含み、
前記制御装置は、前記ページ操作情報に応じて、前記指定画像データを、前記複数台の表示装置のうちの、前記指定情報が指定する前記指定表示装置に表示し、前記再編成画像データを、前記複数台の表示装置のうちの前記指定表示装置以外の表示装置に表示することを特徴とする請求項３から６のいずれか一項に記載の表示システム。
【請求項８】
前記制御装置は、前記ページ操作情報に応じて、シフトさせた画像データを前記複数台の表示装置に表示することを特徴とする請求項１から７の何れか一項に記載の表示システム。
【請求項９】
外部端末が、複数ページの画像データのうちの、並べて配置された複数台の表示装置に対応する表示装置の台数分の異なる画像データをそれぞれ前記複数台の表示装置に表示させるステップと、
前記外部端末が、前記複数ページの画像データのうちの、前記台数分の異なる画像データを含む候補ページの画像データを自身の表示部に表示するステップと、
前記表示部に表示された前記候補ページの画像データに対して操作者によりページ操作が行なわれたとき、前記外部端末が、前記複数ページの画像データのうちの、前記台数分の異なる画像データの次の台数分の異なる画像データを前記複数台の表示装置に表示させるステップと、を具備することを特徴とする表示方法。
【発明の詳細な説明】
【技術分野】
【０００１】
本発明は、複数台の表示装置に画像データを表示する表示システム、及び、表示方法に関する。
【背景技術】
【０００２】
操作者（例えば、先生）が、教材として複数ページの画像データを用いて、視聴者（例えば、生徒）に対して授業を行なう場合、操作者は、複数ページの画像データの各々を１台の表示装置に表示させる。例えば、操作者は、１ページ目の画像データを１台の表示装置に表示させて、１ページ目の画像データに対する説明を行なう。その後に、操作者は、２ページ目の画像データを１台の表示装置に表示させて、２ページ目の画像データに対する説明を行なう。これにより、視聴者は、１ページ目の画像データを見ながら、１ページ目の画像データに対する説明を聴くことができ、２ページ目の画像データを見ながら、２ページ目の画像データに対する説明を聴くことができる。
【０００３】
しかしながら、１台の表示装置に表示される画像データは１ページずつ切り替えられるため、視聴者は、複数ページの画像データを一度に見ることができない。すなわち、操作者は、２ページ目の画像データを１台の表示装置に表示させるときに、１台の表示装置に表示される画像データを、１ページ目の画像データから、２ページ目の画像データに切り替えるため、視聴者は、１ページ目の画像データと２ページ目の画像データとを一度に見ることができない。また、操作者が、２ページ目の画像データを１台の表示装置に表示させて、２ページ目の画像データに対する説明を行なっているときに、視聴者のうちの数名は、２ページ目の画像データに対する説明の確認のために、１ページ目の画像データの画面を再度見たい場合がある。このように、視聴者が数ページの画像データを一度に閲覧できることが望まれる。
【０００４】
また、操作者が、複数ページの画像データのうちの、所望の画像データを表示装置に表示させたい場合もある。この場合、操作者は、表示装置に対して１ページずつページ操作を行なう必要がある。このように、操作者がページ操作を容易に行なうことができることが望まれる。
【０００５】
複数台の表示装置に画像データを表示する技術として、画面キャプチャを用いて、１台目の表示装置に表示された画像データと同じ画像データを２台目の表示装置に表示する技術が、特許文献１、２に開示されている。
【０００６】
リモートコントローラを用いて各画面に対する操作を行なう技術が、特許文献３に開示されている。
【先行技術文献】
【特許文献】
【０００７】
【特許文献１】特開２００３−６９７６７号公報
【特許文献２】特開２０１４−２２８６１号公報
【特許文献３】特開２０１０−１６７３４号公報
【発明の概要】
【発明が解決しようとする課題】
【０００８】
しかしながら、特許文献１、２に記載された技術では、画面キャプチャを用いて、１台目の表示装置に表示された画像データと同じ画像データを２台目の表示装置に表示するものであるため、視聴者が数ページの画像データを一度に閲覧することはできない。
【０００９】
また、特許文献３に記載された技術では、リモートコントローラを用いて各画面に対する操作を行なうものであり、ページ操作を行なうものではない。
【００１０】
本発明は、上記従来の問題点に鑑みてなされたものであって、視聴者が数ページの画像データを一度に閲覧することができ、操作者がページ操作を容易に行なうことができる表示システム、及び、表示方法を提供することを目的とする。
【課題を解決するための手段】
【００１１】
本発明の表示システムは、並べて配置された複数台の表示装置と、前記複数台の表示装置に接続され、複数ページの画像データのうちの、前記複数台の表示装置に対応する表示装置の台数分の異なる画像データをそれぞれ前記複数台の表示装置に表示する制御装置と、前記制御装置にネットワークを介して接続された外部端末と、を具備し、前記外部端末は、表示部と、前記複数ページの画像データのうちの、前記台数分の異なる画像データを含む候補ページの画像データを前記表示部に表示する画像データ表示制御部と、前記表示部に表示された前記候補ページの画像データに対して操作者によりページ操作が行なわれたとき、前記複数ページの画像データのうちの、前記台数分の異なる画像データの次の台数分の異なる画像データを表すページ操作情報を前記制御装置に送信するページ操作制御部と、
を具備し、前記制御装置は、前記ページ操作情報に応じて、前記次の台数分の異なる画像データを前記複数台の表示装置に表示することを特徴とする。
【００１２】
本発明の表示方法は、外部端末が、複数ページの画像データのうちの、並べて配置された複数台の表示装置に対応する表示装置の台数分の異なる画像データをそれぞれ前記複数台の表示装置に表示させるステップと、前記外部端末が、前記複数ページの画像データのうちの、前記台数分の異なる画像データを含む候補ページの画像データを自身の表示部に表示するステップと、前記表示部に表示された前記候補ページの画像データに対して操作者によりページ操作が行なわれたとき、前記外部端末が、前記複数ページの画像データのうちの、前記台数分の異なる画像データの次の台数分の異なる画像データを前記複数台の表示装置に表示させるステップと、を具備することを特徴とする。
【発明の効果】
【００１３】
本発明によれば、視聴者が数ページの画像データを一度に閲覧することができ、操作者がページ操作を容易に行なうことができる。
【図面の簡単な説明】
【００１４】
【図１】本発明の第１実施形態に係る表示システムの構成を示すブロック図である。
【図２】本発明の第１実施形態に係る表示システムの構成において、表示装置の配置を示す図である。
【図３】本発明の第１実施形態に係る表示システムの動作（表示処理）として、制御装置３０の動作を示すフローチャートである。
【図４】本発明の第１実施形態に係る表示システムの動作において、複数台の表示装置１０に表示される画像データを示す図である。
【図５】本発明の第１実施形態に係る表示システムの動作において、複数台の表示装置１０に表示される画像データを示す図である。
【図６】本発明の第１実施形態に係る表示システムの動作において、複数台の表示装置１０に表示される画像データを示す図である。
【図７】本発明の第１実施形態に係る表示システムの動作において、複数台の表示装置１０に表示される画像データを示す図である。
【図８】本発明の第１実施形態に係る表示システムにおいて、外部端末１００の構成を示すブロック図である。
【図９】本発明の第１実施形態に係る表示システムの動作（表示処理）として、外部端末１００、及び、制御装置３０によるページ操作処理を示すフローチャートである。
【図１０】本発明の第１実施形態に係る表示システムの動作（表示処理）のページ操作処理において、外部端末１００の表示部１５０、及び、複数台の表示装置１０に表示される画像データを示す図である。
【図１１】本発明の第１実施形態に係る表示システムの動作（表示処理）のページ操作処理において、外部端末１００の表示部１５０、及び、複数台の表示装置１０に表示される画像データを示す図である。
【図１２】本発明の第１実施形態に係る表示システムの動作（表示処理）のページ操作処理において、外部端末１００の表示部１５０、及び、複数台の表示装置１０に表示される画像データを示す図である。
【図１３】本発明の第２実施形態に係る表示システムにおいて、外部端末１００の構成を示すブロック図である。
【図１４】本発明の第２実施形態に係る表示システムの動作（表示処理）として、外部端末１００、及び、制御装置３０によるページ操作処理を示すフローチャートである。
【図１５】本発明の第２実施形態に係る表示システムの動作（表示処理）のページ操作処理において、外部端末１００の表示部１５０、及び、複数台の表示装置１０に表示される画像データを示す図である。
【図１６】本発明の第２実施形態に係る表示システムの動作（表示処理）のページ操作処理において、外部端末１００の表示部１５０、及び、複数台の表示装置１０に表示される画像データを示す図である。
【図１７】本発明の第２実施形態に係る表示システムの動作（表示処理）のページ操作処理において、外部端末１００の表示部１５０、及び、複数台の表示装置１０に表示される画像データを示す図である。
【図１８】本発明の第３実施形態に係る表示システムにおいて、外部端末１００の構成を示すブロック図である。
【図１９】本発明の第３実施形態に係る表示システムの動作（表示処理）として、外部端末１００、及び、制御装置３０によるページ操作処理を示すフローチャートである。
【図２０】本発明の第３実施形態に係る表示システムの動作（表示処理）のページ操作処理において、外部端末１００の表示部１５０、及び、複数台の表示装置１０に表示される画像データを示す図である。
【図２１】本発明の第３実施形態に係る表示システムの動作（表示処理）のページ操作処理において、外部端末１００の表示部１５０、及び、複数台の表示装置１０に表示される画像データを示す図である。
【図２２】本発明の第３実施形態に係る表示システムの動作（表示処理）のページ操作処理において、外部端末１００の表示部１５０、及び、複数台の表示装置１０に表示される画像データを示す図である。
【図２３】本発明の第４実施形態に係る表示システムにおいて、外部端末１００の構成を示すブロック図である。
【図２４】本発明の第４実施形態に係る表示システムの動作（表示処理）として、外部端末１００、及び、制御装置３０によるページ操作処理を示すフローチャートである。
【図２５】本発明の第４実施形態に係る表示システムの動作（表示処理）のページ操作処理において、外部端末１００の表示部１５０、及び、複数台の表示装置１０に表示される画像データを示す図である。
【図２６】本発明の第４実施形態に係る表示システムの動作（表示処理）のページ操作処理において、外部端末１００の表示部１５０、及び、複数台の表示装置１０に表示される画像データを示す図である。
【図２７】本発明の第４実施形態に係る表示システムの動作（表示処理）のページ操作処理において、外部端末１００の表示部１５０、及び、複数台の表示装置１０に表示される画像データを示す図である。
【図２８】本発明の第５実施形態に係る表示システムにおいて、外部端末１００の構成を示すブロック図である。
【図２９】本発明の第５実施形態に係る表示システムの動作（表示処理）として、外部端末１００、及び、制御装置３０によるページ操作処理を示すフローチャートである。
【図３０】本発明の第５実施形態に係る表示システムの動作（表示処理）のページ操作処理において、外部端末１００の表示部１５０、及び、複数台の表示装置１０に表示される画像データを示す図である。
【図３１】本発明の第５実施形態に係る表示システムの動作（表示処理）のページ操作処理において、外部端末１００の表示部１５０、及び、複数台の表示装置１０に表示される画像データを示す図である。
【図３２】本発明の第５実施形態に係る表示システムの動作（表示処理）のページ操作処理において、外部端末１００の表示部１５０、及び、複数台の表示装置１０に表示される画像データを示す図である。
【発明を実施するための形態】
【００１５】
以下、図面を参照しながら本発明の実施形態について説明する。
【００１６】
［第１実施形態］
図１は、本発明の第１実施形態に係る表示システムの構成を示すブロック図である。図２は、本発明の第１実施形態に係る表示システムの構成において、表示装置の配置を示す図である。
【００１７】
図１に示されるように、本発明の第１実施形態に係る表示システムは、複数台の表示装置１０と、入力検知装置２０と、制御装置３０と、外部端末１００と、を具備している。
【００１８】
複数台の表示装置１０は、図示しないＬＣＤ（Ｌｉｑｕｉｄ  Ｃｒｙｓｔａｌ  Ｄｉｓｐｌａｙ）である。図２に示されるように、複数台の表示装置１０は、左右方向に並べて配置されている。図１、２に示されるように、本実施形態では、複数台の表示装置１０は、例えば、１〜４台目の表示装置１０−１〜１０−４であるものとする。また、図２に示されるように、１〜４台目の表示装置１０−１〜１０−４は、この順番で左から右に並べて配置されている。
【００１９】
また、本実施形態では、例えば、１〜４台目の表示装置１０−１〜１０−４のうちの最終台目の表示装置１０−４は、マスター表示装置とし、それ以外の表示装置１０−１〜１０−３をスレーブ表示装置としている。マスター表示装置１０−４は、例えば、ユーザ（操作者）により指定されている。または、予め指定されている。
【００２０】
入力検知装置２０は、タッチパネルであり、マスター表示装置１０−４に設けられている。すなわち、マスター表示装置１０−４は、自身のＬＣＤと入力検知装置２０（タッチパネル）とにより、タッチパネルディスプレイとして使用される。この入力検知装置２０は、操作者がマスター表示装置１０−４に対して指先またはペン先により文字等を入力したとき、マスター表示装置１０−４に対する操作者の入力を検知する。
【００２１】
入力検知装置２０としては、静電容量センサや、光センサが例示される。静電容量センサは、例えば、マスター表示装置１０−４のＬＣＤにマトリクス状に配置され、そのＬＣＤに所定距離以下に近接した指示媒体（ペン先または操作者の指先）を検出する。光センサは、マスター表示装置１０−４のＬＣＤの各画素に内蔵されることによりマトリクス状に配置され、そのＬＣＤに接触する指示媒体（ペン先または操作者の指先）を検出する。
【００２２】
図１に示されるように、制御装置３０は、１〜４台目の表示装置１０−１〜１０−４（スレーブ表示装置１０−１〜１０−３、マスター表示装置１０−４）と、入力検知装置２０とに接続されている。この制御装置３０は、記憶部３１と、制御部３２とを具備している。制御部３１は、ＣＰＵ（Central Processing Unit）であり、入力検知装置２０、１〜４台目の表示装置１０−１〜１０−４を制御する。記憶部３２にはコンピュータプログラムが格納され、制御部３１は、そのコンピュータプログラムを実行する。
【００２３】
図１に示されるように、制御部３１は、画像データ表示制御部３３と、入力反映表示制御部３４とを備えている。
【００２４】
画像データ表示制御部３３は、複数ページの画像データのうちの、１〜４台目の表示装置１０−１〜１０−４（スレーブ表示装置１０−１〜１０−３、マスター表示装置１０−４）に対応する表示装置１０の台数分の画像データをそれぞれ１〜４台目の表示装置１０−１〜１０−４に表示する。
【００２５】
入力反映表示制御部３４は、表示装置１０の台数分の画像データのうちの、マスター表示装置１０−４に表示された画像データに対して、操作者により入力された情報を表す入力情報を反映させる。
【００２６】
後述のページ操作が行なわれたとき、画像データ表示制御部３３は、複数ページの画像データのうちの、表示装置１０の台数分の画像データを、ページ操作に応じてシフトさせた画像データをそれぞれ１〜４台目の表示装置１０−１〜１０−４（スレーブ表示装置１０−１〜１０−３、マスター表示装置１０−４）に表示する。
【００２７】
図１に示されるように、外部端末１００は、ネットワークＮＥを介して、制御装置３０に接続されている。外部端末１００としては、薄型軽量のコンピュータ、いわゆる、タブレット端末が例示される。外部端末１００の構成、動作については後述する。
【００２８】
次に、本発明の第１実施形態に係る表示システムの動作（表示処理）として、制御装置３０の動作について、図３〜７を用いて説明する。図３は、本発明の第１実施形態に係る表示システムの動作（表示処理）として、制御装置３０の動作を示すフローチャートである。図４〜７は、制御装置３０の動作において、複数台の表示装置１０に表示される画像データを示す図である。
【００２９】
例えば、操作者（先生）は、視聴者（生徒）に対して授業で使うための教材として、複数ページの画像データを用いる。複数ページの画像データは、制御装置３０の記憶部３１に格納されている。または、複数ページの画像データは、制御装置３０に入力され、制御装置３０の制御部３２は、その複数ページの画像データを記憶部３１に格納する。
【００３０】
図４〜７に示されるように、複数ページの画像データは、アルファベット表記による文書「Ａ」、「Ｂ」、「Ｃ」、「Ｄ」、…を表している。
【００３１】
まず、操作者は、制御装置３０に対して、制御装置３０の記憶部３１に格納された複数ページの画像データのうちの１ページ目の画像データ「Ａ」（図４を参照）を表示するための表示指示を行なう。このとき、図４に示されるように、制御装置３０の画像データ表示制御部３３は、複数ページの画像データのうちの、１ページ目の画像データ「Ａ」をマスター表示装置１０−４に表示する（図３のステップＳ１１；画像データ表示処理）。
【００３２】
操作者が、マスター表示装置１０−４に対して、一定時間以上、入力しない場合（図３のステップＳ１２−Ｎｏ）、本発明の第１実施形態に係る表示システムの動作（表示処理）は、ステップ１４（ページ操作処理）に移行する。
【００３３】
一方、操作者は、マスター表示装置１０−４に対して、一定時間以内に、指先またはペン先により文字等を入力する（図３のステップＳ１２−Ｙｅｓ）。このとき、入力検知装置２０は、マスター表示装置１０−４に対する操作者の入力を検知し、入力情報１１（図５を参照）を生成する。入力情報１１は、操作者により入力された情報として、マスター表示装置１０−４に表示された画像データ（この場合、１ページ目の画像データ「Ａ」）に対する説明文「○○」を表している。図５に示されるように、入力反映表示制御部３４は、１ページ目の画像データ「Ａ」に対して、入力情報１１「○○」を反映させる（図３のステップＳ１３；入力反映表示処理）。制御装置３０の動作は、ステップ１４（ページ操作処理）に移行する。
【００３４】
ステップ１４（ページ操作処理）において、操作者が、一定時間以上、外部端末１００によりページ操作を行なわない場合、制御装置３０の動作は、ステップ１５に移行する。ここで、画像データの表示を終了する場合は（ステップＳ１５−Ｙｅｓ）、制御装置３０の動作は終了する。画像データの表示を終了しない場合は（ステップＳ１５−Ｎｏ）、上述のステップＳ１２〜Ｓ１４が行なわれる。
【００３５】
一方、ステップ１４（ページ操作処理）において、操作者は、外部端末１００により、ページ操作として、例えば、１ページだけページ送りを行なう。このとき、外部端末１００は、ページ操作として、ページ操作情報を制御装置３０に送信する。このページ操作情報は、１回分のページ送りを表している。
【００３６】
図６に示されるように、制御装置３０の画像データ表示制御部３３は、外部端末１００からのページ操作情報に応じて、複数ページの画像データのうちの、２ページ目の画像データ「Ｂ」をマスター表示装置１０−４に表示する。また、画像データ表示制御部３３は、ページ操作情報に応じて、複数ページの画像データのうちの、入力情報１１「○○」が反映された１ページ目の画像データ「Ａ」（以下、単に、１ページ目の画像データ「Ａ」と称する）をスレーブ表示装置１０−３に表示する。すなわち、画像データ表示制御部３３は、ページ操作情報に応じて、複数ページの画像データのうちの、１ページ目の画像データ「Ａ」、２ページ目の画像データ「Ｂ」を、それぞれ、スレーブ表示装置１０−３、マスター表示装置１０−４に表示する。制御装置３０の動作はステップ１５に移行する。
【００３７】
その後、画像データの表示を終了しない場合（ステップＳ１５−Ｎｏ）、再度、上述のステップＳ１２〜Ｓ１４が行なわれる。
【００３８】
ステップ１４（ページ操作処理）において、図７に示されるように、外部端末１００からのページ操作情報に応じて、複数ページの画像データのうちの、４ページ目の画像データ「Ｄ」がマスター表示装置１０−４に表示され、１〜３ページ目の画像データ「Ａ」〜「Ｃ」がそれぞれスレーブ表示装置１０−１〜１０−３に表示される。
【００３９】
図８は、本発明の第１実施形態に係る表示システムにおいて、外部端末１００の構成を示すブロック図である。
【００４０】
図８に示されるように、外部端末１００は、記憶部１１０と、制御部１２０と、表示部１５０とを具備している。制御部１２０は、ＣＰＵであり、表示部１５０などを制御する。記憶部１１０にはコンピュータプログラムが格納され、制御部１２０は、そのコンピュータプログラムを実行する。また、表示部１５０はタッチパネルであり、操作者が表示部１５０を操作した場合、制御部１２０は、表示部１５０の操作に応じてコンピュータプログラムを実行する。
【００４１】
図８に示されるように、制御部１２０は、画像データ表示制御部１３０と、ページ操作制御部１４０とを備えている。
【００４２】
画像データ表示制御部１３０は、４画像表示制御部１３１を備えている。４画像表示制御部１３１は、複数ページの画像データのうちの、台数分の画像データを表す候補ページの画像データを表示部１５０に表示する。
【００４３】
ページ操作制御部１４０は、表示部１５０に表示された候補ページの画像データに対して操作者によりページ操作が行なわれたとき、複数ページの画像データのうちの、台数分の画像データの次の台数分の画像データを表すページ操作情報を制御装置３０に送信する。
【００４４】
次に、本発明の第１実施形態に係る表示システムの動作（表示処理）として、外部端末１００、及び、制御装置３０の動作について、図９〜１２を用いて説明する。図９は、本発明の第１実施形態に係る表示システムの動作（表示処理）として、外部端末１００、及び、制御装置３０によるページ操作処理を示すフローチャートである。図１０〜１２は、本発明の第１実施形態に係る表示システムの動作（表示処理）のページ操作処理において、外部端末１００の表示部１５０、及び、複数台の表示装置１０に表示される画像データを示す図である。
【００４５】
上述のステップ１４（ページ操作処理）において、図１０に示されるように、複数台の表示装置１０（スレーブ表示装置１０−１〜１０−３、マスター表示装置１０−４）には、複数ページの画像データのうちの、台数分の画像データ（１〜４ページ目の画像データ「Ａ」〜「Ｄ」）が表示されている。
【００４６】
このとき、外部端末１００において、画像データ表示制御部１３０の４画像表示制御部１３１は、複数ページの画像データのうちの、候補ページの画像データを表示部１５０に表示している。図１０に示されるように、候補ページの画像データは、１〜４ページ目の画像データ「Ａ」〜「Ｄ」を表している。この場合、４画像表示制御部１３１は、候補ページの画像データ（１〜４ページ目の画像データ「Ａ」〜「Ｄ」）を、複数台の表示装置１０（スレーブ表示装置１０−１〜１０−３、マスター表示装置１０−４）が配置されている方向である配置方向に対応して、表示部１５０に表示している（図９のステップＳ１０１；４画像表示処理）。
【００４７】
外部端末１００において、表示部１５０に表示された候補ページの画像データ（１〜４ページ目の画像データ「Ａ」〜「Ｄ」）に対して操作者によりページ操作が行なわれたとき、ページ操作制御部１４０は、複数ページの画像データのうちの、台数分の画像データ（１〜４ページ目の画像データ「Ａ」〜「Ｄ」）の次の台数分の画像データ（５〜８ページ目の画像データ「Ｅ」〜「Ｈ」）を表すページ操作情報を制御装置３０に送信する（図９のステップＳ１０２）。
【００４８】
ここで、ページ操作は、表示部１５０に表示された候補ページの画像データ（１〜４ページ目の画像データ「Ａ」〜「Ｄ」）のうちの１つの画像データをタッチ（タップ、ダブルタップ）して、設定時間以内に配置方向にスライドする操作、または、上記１つの画像データを配置方向にフリックする操作である。操作者が、次の台数分の画像データ（５〜８ページ目の画像データ「Ｅ」〜「Ｈ」）を、確実に、外部端末１００の表示部１５０、及び、複数台の表示装置１０（スレーブ表示装置１０−１〜１０−３、マスター表示装置１０−４）に表示させたい場合は、前者のページ操作のほうが好ましい。
【００４９】
前者のページ操作が、いわゆる、ドラッグである場合、そのページ操作は、表示部１５０に表示された候補ページの画像データ（１〜４ページ目の画像データ「Ａ」〜「Ｄ」）のうちの１つの画像データをタッチしたまま、配置方向にスライドする操作である。本実施形態では、ページ操作は前者のページ操作であり、かつ、そのページ操作はドラッグであるものとする。
【００５０】
例えば、図１１に示されるように、操作者が、外部端末１００の表示部１５０に表示された候補ページの画像データ（１〜４ページ目の画像データ「Ａ」〜「Ｄ」）のうちの、表示部１５０の右端に表示された画像データ（４ページ目の画像データ「Ｄ」）をタッチし、タッチした画像データ「Ｄ」を表示部１５０の左端まで配置方向にスライドする。このとき、外部端末１００のページ操作制御部１４０は、次の台数分の画像データ（５〜８ページ目の画像データ「Ｅ」〜「Ｈ」）を表すページ操作情報を制御装置３０に送信する。
【００５１】
制御装置３０の画像データ表示制御部３３は、外部端末１００からページ操作情報を受信していない場合は（ステップＳ１４１−Ｎｏ）、後述のステップＳ１４２をスキップする。
【００５２】
図１２に示されるように、制御装置３０の画像データ表示制御部３３は、外部端末１００からページ操作情報を受信した場合（ステップＳ１４１−Ｙｅｓ）、ページ操作情報に応じて、次の台数分の画像データ（５〜８ページ目の画像データ「Ｅ」〜「Ｈ」）を複数台の表示装置１０（スレーブ表示装置１０−１〜１０−３、マスター表示装置１０−４）に表示する（ステップＳ１４２）。この場合、外部端末１００の表示部１５０には、台数分の画像データ（５〜８ページ目の画像データ「Ｅ」〜「Ｈ」）が表示されている。
【００５３】
以上の説明により、本発明の第１実施形態に係る表示システムでは、並べて配置された複数台の表示装置１０（スレーブ表示装置１０−１〜１０−３、マスター表示装置１０−４）と、複数台の表示装置１０（スレーブ表示装置１０−１〜１０−３、マスター表示装置１０−４）に接続され、複数ページの画像データのうちの、複数台の表示装置１０（スレーブ表示装置１０−１〜１０−３、マスター表示装置１０−４）に対応する表示装置の台数分の画像データ（１〜４ページ目の画像データ「Ａ」〜「Ｄ」）をそれぞれ複数台の表示装置１０（スレーブ表示装置１０−１〜１０−３、マスター表示装置１０−４）に表示する制御装置３０と、制御装置３０にネットワークＮＥを介して接続された外部端末１００と、を具備している。外部端末１００は、表示部１５０と、複数ページの画像データのうちの、台数分の画像データ（１〜４ページ目の画像データ「Ａ」〜「Ｄ」）を含む候補ページの画像データを表示部１５０に表示する画像データ表示制御部１３０と、表示部１５０に表示された候補ページの画像データに対して操作者によりページ操作が行なわれたとき、複数ページの画像データのうちの、台数分の画像データ（１〜４ページ目の画像データ「Ａ」〜「Ｄ」）の次の台数分の画像データ（５〜８ページ目の画像データ「Ｅ」〜「Ｈ」）を表すページ操作情報を制御装置３０に送信するページ操作制御部１４０と、を具備している。制御装置３０は、ページ操作情報に応じて、次の台数分の画像データ（５〜８ページ目の画像データ「Ｅ」〜「Ｈ」）を複数台の表示装置１０（スレーブ表示装置１０−１〜１０−３、マスター表示装置１０−４）に表示する。
【００５４】
また、本発明の第１実施形態に係る表示システムでは、画像データ表示制御部１３０は、候補ページの画像データを、複数台の表示装置１０（スレーブ表示装置１０−１〜１０−３、マスター表示装置１０−４）が配置されている方向である配置方向に対応して、表示部１５０に表示する。ページ操作は、表示部１５０に表示された候補ページの画像データのうちの１つの画像データをタッチして、配置方向にスライドする操作、または、１つの画像データを配置方向にフリックする操作である。
【００５５】
このように、本発明の第１実施形態に係る表示システムによれば、視聴者が数ページの画像データ（１〜４ページ目の画像データ「Ａ」〜「Ｄ」、または、５〜８ページ目の画像データ「Ｅ」〜「Ｈ」）を一度に閲覧することができ、操作者が、１〜４ページ目の画像データ「Ａ」〜「Ｄ」から、５〜８ページ目の画像データ「Ｅ」〜「Ｈ」にページ送りする際、そのページ送り（ページ操作）を容易に行なうことができる。
【００５６】
［第２実施形態］
本発明の第１実施形態に係る表示システムにおいて、外部端末１００の表示部１５０に表示される候補ページの画像データは、複数台の表示装置１０（スレーブ表示装置１０−１〜１０−３、マスター表示装置１０−４）に表示される台数分の画像データ（１〜４ページ目の画像データ「Ａ」〜「Ｄ」）と同じ画像データであるが、これに限定されない。本発明の第２実施形態に係る表示システムにおいて、候補ページの画像データは、複数ページの画像データの全てを含んでいてもよい。第２実施形態では、第１実施形態からの変更点を説明する。
【００５７】
図１３は、本発明の第２実施形態に係る表示システムにおいて、外部端末１００の構成を示すブロック図である。図１３に示されるように、画像データ表示制御部１３０は、更に、全画像表示制御部２３１を備えている。全画像表示制御部２３１は、複数ページの画像データを表示部１５０に表示する。
【００５８】
次に、本発明の第２実施形態に係る表示システムの動作（表示処理）として、外部端末１００、及び、制御装置３０の動作について、図１４〜１７を用いて説明する。図１４は、本発明の第２実施形態に係る表示システムの動作（表示処理）として、外部端末１００、及び、制御装置３０によるページ操作処理を示すフローチャートである。図１５〜１７は、本発明の第２実施形態に係る表示システムの動作（表示処理）のページ操作処理において、外部端末１００の表示部１５０、及び、複数台の表示装置１０に表示される画像データを示す図である。
【００５９】
前述のステップ１４（ページ操作処理）において、図１５に示されるように、複数台の表示装置１０（スレーブ表示装置１０−１〜１０−３、マスター表示装置１０−４）には、複数ページの画像データのうちの、台数分の画像データ（１〜４ページ目の画像データ「Ａ」〜「Ｄ」）が表示されている。ここで、操作者は、外部端末１００に対して、後述の全画像表示処理を実行させるための表示切替指示を行なう（図１４のステップＳ２００；表示切替処理）。
【００６０】
このとき、外部端末１００において、画像データ表示制御部１３０の全画像表示制御部２３１は、複数ページの画像データのうちの、台数分の画像データ（１〜４ページ目の画像データ「Ａ」〜「Ｄ」）を含む候補ページの画像データを表示部１５０に表示する。図１５に示されるように、候補ページの画像データは、複数ページの画像データとして、１〜２６ページ目の画像データ「Ａ」〜「Ｚ」を含んでいる（図１４のステップＳ２０１；全画像表示処理）。
【００６１】
外部端末１００において、表示部１５０に表示された候補ページの画像データ（１〜２６ページ目の画像データ「Ａ」〜「Ｚ」）に対して操作者によりページ操作が行なわれたとき、ページ操作制御部１４０は、複数ページの画像データのうちの、台数分の画像データ（１〜４ページ目の画像データ「Ａ」〜「Ｄ」）の次の台数分の画像データを表すページ操作情報を制御装置３０に送信する（図１４のステップＳ２０２）。
【００６２】
ここで、ページ操作は、表示部１５０に表示された候補ページの画像データ（１〜２６ページ目の画像データ「Ａ」〜「Ｚ」）のうちの、台数分の画像データ（１〜４ページ目の画像データ「Ａ」〜「Ｄ」）の次の台数分の画像データをタッチ（タップ、ダブルタップ）する操作である。
【００６３】
例えば、図１６に示されるように、操作者が、外部端末１００の表示部１５０に表示された候補ページの画像データ（１〜６ページ目の画像データ「Ａ」〜「Ｆ」）のうちの、次の台数分の画像データを１０〜１３ページ目の画像データ「Ｊ」〜「Ｍ」としたい場合、１０〜１３ページ目の画像データ「Ｊ」〜「Ｍ」のうちの最終ページ目の画像データである１３ページ目の画像データ「Ｍ」をタッチする。このとき、外部端末１００のページ操作制御部１４０は、次の台数分の画像データ（１０〜１３ページ目の画像データ「Ｊ」〜「Ｍ」）を表すページ操作情報を制御装置３０に送信する。
【００６４】
制御装置３０の画像データ表示制御部３３は、外部端末１００からページ操作情報を受信していない場合は（ステップＳ２４１−Ｎｏ）、後述のステップＳ２４２をスキップする。
【００６５】
図１７に示されるように、制御装置３０の画像データ表示制御部３３は、外部端末１００からページ操作情報を受信した場合（ステップＳ２４１−Ｙｅｓ）、ページ操作情報に応じて、次の台数分の画像データ（１０〜１３ページ目の画像データ「Ｊ」〜「Ｍ」）を複数台の表示装置１０（スレーブ表示装置１０−１〜１０−３、マスター表示装置１０−４）に表示する（ステップＳ２４２）。
【００６６】
ここで、本発明の第２実施形態に係る表示システムでは、操作者が１つの画像データ（１３ページ目の画像データ「Ｍ」）をタッチした場合に、タッチした画像データ（１３ページ目の画像データ「Ｍ」）の前後の画像データ（この場合、１０〜１３ページ目の画像データ「Ｊ」〜「Ｍ」）を次の台数分の画像データとしているが、これに限定されない。例えば、操作者が４つの画像データ（５ページ目の画像データ「Ｅ」、７ページ目の画像データ「Ｇ」、１１ページ目の画像データ「Ｋ」、１３ページ目の画像データ「Ｍ」）をランダムにタッチした場合に、タッチした画像データ（５ページ目の画像データ「Ｅ」、７ページ目の画像データ「Ｇ」、１１ページ目の画像データ「Ｋ」、１３ページ目の画像データ「Ｍ」）の全てを次の台数分の画像データとしてもよい。
【００６７】
以上の説明により、本発明の第２実施形態に係る表示システムでは、候補ページの画像データは、複数ページの画像データを含んでいる。画像データ表示制御部１３０は、複数ページの画像データを表示部１５０に表示する。ページ操作は、表示部１５０に表示された複数ページの画像データのうちの、次の台数分の画像データ（５〜８ページ目の画像データ「Ｅ」〜「Ｈ」）をタッチする操作である。
【００６８】
このように、本発明の第２実施形態に係る表示システムによれば、視聴者が数ページの画像データ（１〜４ページ目の画像データ「Ａ」〜「Ｄ」、または、５〜８ページ目の画像データ「Ｅ」〜「Ｈ」）を一度に閲覧することができ、操作者が、１〜４ページ目の画像データ「Ａ」〜「Ｄ」から、５〜８ページ目の画像データ「Ｅ」〜「Ｈ」にページ送りする際、そのページ送り（ページ操作）を容易に行なうことができる。特に、操作者が選択的にページ操作を行なう場合に有効である。
【００６９】
［第３実施形態］
本発明の第１実施形態に係る表示システムにおいて、外部端末１００の表示部１５０に表示される候補ページの画像データは、複数台の表示装置１０（スレーブ表示装置１０−１〜１０−３、マスター表示装置１０−４）に表示される台数分の画像データ（１〜４ページ目の画像データ「Ａ」〜「Ｄ」）と同じ画像データであるが、これに限定されない。本発明の第３実施形態に係る表示システムにおいて、候補ページの画像データは、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）のうちの最終ページ目の画像データ（４ページ目の画像データ「Ｄ」）の次のページの画像データとを少なくとも含んでいてもよい。第３実施形態では、第２実施形態からの変更点を説明する。
【００７０】
図１８は、本発明の第３実施形態に係る表示システムにおいて、外部端末１００の構成を示すブロック図である。図１８に示されるように、画像データ表示制御部１３０は、更に、６画像表示制御部３３１を備えている。６画像表示制御部３３１は、複数ページの画像データのうちの、台数分の画像データを含む候補ページの画像データを表示部１５０に表示する。
【００７１】
次に、本発明の第３実施形態に係る表示システムの動作（表示処理）として、外部端末１００、及び、制御装置３０の動作について、図１９〜２２を用いて説明する。図１９は、本発明の第３実施形態に係る表示システムの動作（表示処理）として、外部端末１００、及び、制御装置３０によるページ操作処理を示すフローチャートである。図２０〜２２は、本発明の第３実施形態に係る表示システムの動作（表示処理）のページ操作処理において、外部端末１００の表示部１５０、及び、複数台の表示装置１０に表示される画像データを示す図である。
【００７２】
前述のステップ１４（ページ操作処理）において、図２０に示されるように、複数台の表示装置１０（スレーブ表示装置１０−１〜１０−３、マスター表示装置１０−４）には、複数ページの画像データのうちの、台数分の画像データ（１〜４ページ目の画像データ「Ａ」〜「Ｄ」）が表示されている。ここで、操作者は、外部端末１００に対して、後述の６画像表示処理を実行させるための表示切替指示を行なう（図１９のステップＳ３００；表示切替処理）。
【００７３】
このとき、外部端末１００において、画像データ表示制御部１３０の６画像表示制御部３３１は、複数ページの画像データのうちの、台数分の画像データ（１〜４ページ目の画像データ「Ａ」〜「Ｄ」）を含む候補ページの画像データを表示部１５０に表示する。図２０に示されるように、候補ページの画像データは、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）のうちの最終ページ目の画像データ（４ページ目の画像データ「Ｄ」）の次のページの画像データ（５ページ目の画像データ「Ｅ」）と、その次のページの画像データ（６ページ目の画像データ「Ｆ」）とを含んでいる。この場合、６画像表示制御部３３１は、候補ページの画像データ（１〜６ページ目の画像データ「Ａ」〜「Ｆ」）を、複数台の表示装置１０（スレーブ表示装置１０−１〜１０−３、マスター表示装置１０−４）が配置されている方向である配置方向に対応して、表示部１５０に表示している（図１９のステップＳ３０１；６画像表示処理）。
【００７４】
外部端末１００において、表示部１５０に表示された候補ページの画像データ（１〜６ページ目の画像データ「Ａ」〜「Ｆ」）に対して操作者によりページ操作が行なわれたとき、ページ操作制御部１４０は、複数ページの画像データのうちの、台数分の画像データ（１〜４ページ目の画像データ「Ａ」〜「Ｄ」）の次の台数分の画像データを表すページ操作情報を制御装置３０に送信する（図１９のステップＳ３０２）。
【００７５】
ここで、ページ操作は、表示部１５０に表示された候補ページの画像データ（１〜６ページ目の画像データ「Ａ」〜「Ｆ」）のうちの１つの画像データをタッチ（タップ、ダブルタップ）して、設定時間以内に配置方向にスライドする操作、または、上記１つの画像データを配置方向にフリックする操作である。操作者が、次の台数分の画像データを３〜６ページ目の画像データ「Ｃ」〜「Ｆ」とし、次の台数分の画像データ（３〜６ページ目の画像データ「Ｃ」〜「Ｆ」）を、確実に、外部端末１００の表示部１５０、及び、複数台の表示装置１０（スレーブ表示装置１０−１〜１０−３、マスター表示装置１０−４）に表示させたい場合は、前者のページ操作のほうが好ましい。
【００７６】
前者のページ操作が、いわゆる、ドラッグである場合、そのページ操作は、表示部１５０に表示された候補ページの画像データ（１〜６ページ目の画像データ「Ａ」〜「Ｆ」）のうちの１つの画像データをタッチしたまま、配置方向にスライドする操作である。本実施形態では、ページ操作は前者のページ操作であり、かつ、そのページ操作はドラッグであるものとする。
【００７７】
例えば、図２１に示されるように、操作者が、外部端末１００の表示部１５０に表示された候補ページの画像データ（１〜６ページ目の画像データ「Ａ」〜「Ｆ」）のうちの、３ページ目の画像データ「Ｃ」をタッチし、タッチした画像データ「Ｃ」を表示部１５０の１ページ目の画像データ「Ａ」が表示されている位置まで配置方向にスライドする。または、操作者が、外部端末１００の表示部１５０に表示された候補ページの画像データ（１〜６ページ目の画像データ「Ａ」〜「Ｆ」）のうちの、６ページ目の画像データ「Ｆ」をタッチし、タッチした画像データ「Ｆ」を表示部１５０の４ページ目の画像データ「Ｄ」が表示されている位置まで配置方向にスライドする。このとき、外部端末１００のページ操作制御部１４０は、次の台数分の画像データ（３〜６ページ目の画像データ「Ｃ」〜「Ｆ」）を表すページ操作情報を制御装置３０に送信する。
【００７８】
制御装置３０の画像データ表示制御部３３は、外部端末１００からページ操作情報を受信していない場合は（ステップＳ３４１−Ｎｏ）、後述のステップＳ３４２をスキップする。
【００７９】
図２２に示されるように、制御装置３０の画像データ表示制御部３３は、外部端末１００からページ操作情報を受信した場合（ステップＳ３４１−Ｙｅｓ）、ページ操作情報に応じて、次の台数分の画像データ（３〜６ページ目の画像データ「Ｃ」〜「Ｆ」）を複数台の表示装置１０（スレーブ表示装置１０−１〜１０−３、マスター表示装置１０−４）に表示する（ステップＳ３４２）。この場合、外部端末１００の表示部１５０には、候補ページの画像データとして、複数ページの画像データのうちの、台数分の画像データ（３〜６ページ目の画像データ「Ｃ」〜「Ｆ」）と、台数分の画像データ（３〜６ページ目の画像データ「Ｃ」〜「Ｆ」）のうちの最終ページ目の画像データ（６ページ目の画像データ「Ｆ」）の次のページの画像データ（７ページ目の画像データ「Ｇ」）と、その次のページの画像データ（８ページ目の画像データ「Ｈ」）とが表示されている。
【００８０】
以上の説明により、本発明の第３実施形態に係る表示システムでは、候補ページの画像データは、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）のうちの最終ページ目の画像データの次のページの画像データ（例えば、５〜６ページ目の画像データ「Ｅ」〜「Ｆ」）とを少なくとも含んでいる。
【００８１】
このように、本発明の第３実施形態に係る表示システムによれば、視聴者が数ページの画像データ（１〜４ページ目の画像データ「Ａ」〜「Ｄ」、または、５〜８ページ目の画像データ「Ｅ」〜「Ｈ」）を一度に閲覧することができ、操作者が、１〜４ページ目の画像データ「Ａ」〜「Ｄ」から、５〜８ページ目の画像データ「Ｅ」〜「Ｈ」にページ送りする際、そのページ送り（ページ操作）を容易に行なうことができる。例えば、３〜４ページ目の画像データ「Ｃ」〜「Ｄ」に問題文が表記されていて、５〜６ページ目の画像データ「Ｅ」〜「Ｆ」に上記問題文の回答が表記されている場合に有効である。この場合、操作者が問題文と回答とを誤って同時に提示してしまうような状況を回避することができる。
【００８２】
［第４実施形態］
本発明の第１実施形態に係る表示システムにおいて、外部端末１００の表示部１５０に表示される候補ページの画像データは、複数台の表示装置１０（スレーブ表示装置１０−１〜１０−３、マスター表示装置１０−４）に表示される台数分の画像データ（１〜４ページ目の画像データ「Ａ」〜「Ｄ」）と同じ画像データであるが、これに限定されない。本発明の第４実施形態に係る表示システムにおいて、候補ページの画像データは、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）の次の台数分の画像データ（５〜８ページ目の画像データ「Ｅ」〜「Ｈ」）とを含んでいてもよい。第４実施形態では、第３実施形態からの変更点を説明する。
【００８３】
図２３は、本発明の第４実施形態に係る表示システムにおいて、外部端末１００の構成を示すブロック図である。図２３に示されるように、画像データ表示制御部１３０は、更に、８画像表示制御部４３１を備えている。８画像表示制御部４３１は、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）の次の台数分の画像データ（５〜８ページ目の画像データ「Ｅ」〜「Ｈ」）とを含む候補ページの画像データを表示部１５０に表示する。
【００８４】
次に、本発明の第３実施形態に係る表示システムの動作（表示処理）として、外部端末１００、及び、制御装置３０の動作について、図２４〜２７を用いて説明する。図２４は、本発明の第４実施形態に係る表示システムの動作（表示処理）として、外部端末１００、及び、制御装置３０によるページ操作処理を示すフローチャートである。図２５〜２７は、本発明の第４実施形態に係る表示システムの動作（表示処理）のページ操作処理において、外部端末１００の表示部１５０、及び、複数台の表示装置１０に表示される画像データを示す図である。
【００８５】
前述のステップ１４（ページ操作処理）において、図２５に示されるように、複数台の表示装置１０（スレーブ表示装置１０−１〜１０−３、マスター表示装置１０−４）には、複数ページの画像データのうちの、台数分の画像データ（１〜４ページ目の画像データ「Ａ」〜「Ｄ」）が表示されている。ここで、操作者は、外部端末１００に対して、後述の８画像表示処理を実行させるための表示切替指示を行なう（図２４のステップＳ４００；表示切替処理）。
【００８６】
このとき、外部端末１００において、画像データ表示制御部１３０の８画像表示制御部４３１は、複数ページの画像データのうちの、台数分の画像データ（１〜４ページ目の画像データ「Ａ」〜「Ｄ」）を含む候補ページの画像データを表示部１５０に表示する。図２５に示されるように、候補ページの画像データは、複数ページの画像データのうちの、台数分の画像データ（１〜４ページ目の画像データ「Ａ」〜「Ｄ」）と、台数分の画像データ（１〜４ページ目の画像データ「Ａ」〜「Ｄ」）の次の台数分の画像データ（５〜８ページ目の画像データ「Ｅ」〜「Ｈ」）とを含んでいる。この場合、８画像表示制御部４３１は、表示部１５０の表示領域を上段と下段との領域に分割し、上段の領域を第１表示領域とし、下段の領域を第２表示領域とする。８画像表示制御部４３１は、台数分の画像データ（１〜４ページ目の画像データ「Ａ」〜「Ｄ」）を、複数台の表示装置１０（スレーブ表示装置１０−１〜１０−３、マスター表示装置１０−４）が配置されている方向である配置方向に対応して、表示部１５０の第１表示領域に表示する。また、８画像表示制御部４３１は、次の台数分の画像データ（５〜８ページ目の画像データ「Ｅ」〜「Ｈ」）を、配置方向に対応して、表示部１５０の第２表示領域に表示する（図２４のステップＳ４０１；８画像表示処理）。
【００８７】
外部端末１００において、表示部１５０に表示された候補ページの画像データ（１〜８ページ目の画像データ「Ａ」〜「Ｈ」）に対して操作者によりページ操作が行なわれたとき、ページ操作制御部１４０は、複数ページの画像データのうちの、台数分の画像データ（１〜４ページ目の画像データ「Ａ」〜「Ｄ」）の次の台数分の画像データ（５〜８ページ目の画像データ「Ｅ」〜「Ｈ」）を表すページ操作情報を制御装置３０に送信する（図２４のステップＳ４０２）。
【００８８】
ここで、ページ操作は、表示部１５０の第２表示領域に表示された次の台数分の画像データ（５〜８ページ目の画像データ「Ｅ」〜「Ｈ」）のうちの１つの画像データをタッチ（タップ、ダブルタップ）して、設定時間以内に表示部１５０の第１表示領域にスライドする操作、または、上記１つの画像データを表示部１５０の第１表示領域にフリックする操作である。
【００８９】
前者のページ操作が、いわゆる、ドラッグである場合、そのページ操作は、表示部１５０の第２表示領域に表示された次の台数分の画像データ（５〜８ページ目の画像データ「Ｅ」〜「Ｈ」）のうちの１つの画像データをタッチしたまま、表示部１５０の第１表示領域にスライドする操作である。本実施形態では、ページ操作は前者のページ操作であり、かつ、そのページ操作はドラッグであるものとする。
【００９０】
例えば、図２６に示されるように、操作者が、外部端末１００の表示部１５０の第２表示領域に表示された次の台数分の画像データ（５〜８ページ目の画像データ「Ｅ」〜「Ｈ」）のうちの、７ページ目の画像データ「Ｇ」をタッチし、タッチした画像データ「Ｇ」を表示部１５０の第１表示領域にスライドする。このとき、外部端末１００のページ操作制御部１４０は、次の台数分の画像データ（５〜８ページ目の画像データ「Ｅ」〜「Ｈ」）を表すページ操作情報を制御装置３０に送信する。
【００９１】
制御装置３０の画像データ表示制御部３３は、外部端末１００からページ操作情報を受信していない場合は（ステップＳ４４１−Ｎｏ）、後述のステップＳ４４２をスキップする。
【００９２】
図２７に示されるように、制御装置３０の画像データ表示制御部３３は、外部端末１００からページ操作情報を受信した場合（ステップＳ４４１−Ｙｅｓ）、ページ操作情報に応じて、次の台数分の画像データ（５〜８ページ目の画像データ「Ｅ」〜「Ｈ」）を複数台の表示装置１０（スレーブ表示装置１０−１〜１０−３、マスター表示装置１０−４）に表示する（ステップＳ４４２）。この場合、候補ページの画像データとして、外部端末１００の表示部１５０の第１表示領域には、複数ページの画像データのうちの、台数分の画像データ（５〜８ページ目の画像データ「Ｅ」〜「Ｈ」）と、台数分の画像データ（５〜８ページ目の画像データ「Ｅ」〜「Ｈ」）次の台数分の画像データ（９〜１２ページ目の画像データ「Ｉ」〜「Ｌ」）とが表示されている。
【００９３】
以上の説明により、本発明の第４実施形態に係る表示システムでは、候補ページの画像データは、複数ページの画像データのうちの、台数分の画像データ（１〜４ページ目の画像データ「Ａ」〜「Ｄ」）と、次の台数分の画像データ（５〜８ページ目の画像データ「Ｅ」〜「Ｈ」）とを含んでいる。画像データ表示制御部１３０は、台数分の画像データ（１〜４ページ目の画像データ「Ａ」〜「Ｄ」）を、複数台の表示装置１０（スレーブ表示装置１０−１〜１０−３、マスター表示装置１０−４）が配置されている方向である配置方向に対応して、表示部１５０の第１表示領域に表示し、次の台数分の画像データ（５〜８ページ目の画像データ「Ｅ」〜「Ｈ」）を、配置方向に対応して、表示部１５０の第２表示領域に表示する。ページ操作は、表示部１５０の第２表示領域に表示された次の台数分の画像データ（５〜８ページ目の画像データ「Ｅ」〜「Ｈ」）のうちの１つの画像データをタッチして、表示部１５０の第１表示領域にスライドする操作、または、１つの画像データを表示部１５０の第１表示領域にフリックする操作である。
【００９４】
このように、本発明の第４実施形態に係る表示システムによれば、視聴者が数ページの画像データ（１〜４ページ目の画像データ「Ａ」〜「Ｄ」、または、５〜８ページ目の画像データ「Ｅ」〜「Ｈ」）を一度に閲覧することができ、操作者が、１〜４ページ目の画像データ「Ａ」〜「Ｄ」から、５〜８ページ目の画像データ「Ｅ」〜「Ｈ」にページ送りする際、そのページ送り（ページ操作）を容易に行なうことができる。例えば、１〜４ページ目の画像データ「Ａ」〜「Ｄ」に問題文が表記されていて、５〜８ページ目の画像データ「Ｅ」〜「Ｈ」に上記問題文の回答が表記されている場合に有効である。この場合、操作者が問題文と回答とを誤って同時に提示してしまうような状況を回避することができる。
【００９５】
［第５実施形態］
本発明の第５実施形態に係る表示システムでは、操作者により指定された画像データについては複数台の表示装置１０（スレーブ表示装置１０−１〜１０−３、マスター表示装置１０−４）のいずれかに常に表示していてもよい。第５実施形態では、第４実施形態からの変更点を説明する。
【００９６】
図２８は、本発明の第５実施形態に係る表示システムにおいて、外部端末１００の構成を示すブロック図である。図２８に示されるように、ページ操作制御部１４０は、指定情報制御部５４０を備えている。指定情報制御部５４０は、外部端末１００の表示部１５０に表示された候補ページの画像データのうちの、複数台の表示装置１０（スレーブ表示装置１０−１〜１０−３、マスター表示装置１０−４）に対応する表示装置１０の台数よりも少ない数の画像データが指定画像データとして操作者により指定されたとき、複数台の表示装置１０（スレーブ表示装置１０−１〜１０−３、マスター表示装置１０−４）のうちの、指定画像データを表示している表示装置１０を指定表示装置として指定するための指定情報を生成する。
【００９７】
次に、本発明の第５実施形態に係る表示システムの動作（表示処理）として、外部端末１００、及び、制御装置３０の動作について、図２９〜３２を用いて説明する。図２９は、本発明の第５実施形態に係る表示システムの動作（表示処理）として、外部端末１００、及び、制御装置３０によるページ操作処理を示すフローチャートである。図３０〜３２は、本発明の第５実施形態に係る表示システムの動作（表示処理）のページ操作処理において、外部端末１００の表示部１５０、及び、複数台の表示装置１０に表示される画像データを示す図である。
【００９８】
前述のステップ１４（ページ操作処理）において、図３０に示されるように、複数台の表示装置１０（スレーブ表示装置１０−１〜１０−３、マスター表示装置１０−４）には、複数ページの画像データのうちの、台数分の画像データ（１〜４ページ目の画像データ「Ａ」〜「Ｄ」）が表示されている。例えば、操作者は、外部端末１００に対して、前述の４画像表示処理を実行させるための表示切替指示を行なう（図２９のステップＳ５００；表示切替処理）。
【００９９】
このとき、外部端末１００において、画像データ表示制御部１３０の４画像表示制御部１３１は、複数ページの画像データのうちの、台数分の画像データ（１〜４ページ目の画像データ「Ａ」〜「Ｄ」）を含む候補ページの画像データを表示部１５０に表示する。この場合、４画像表示制御部１３１は、候補ページの画像データ（１〜４ページ目の画像データ「Ａ」〜「Ｄ」）を、複数台の表示装置１０（スレーブ表示装置１０−１〜１０−３、マスター表示装置１０−４）が配置されている方向である配置方向に対応して、表示部１５０に表示する（図２４のステップＳ５０１；各種画像表示処理）。
【０１００】
外部端末１００において、図３０に示されるように、外部端末１００の表示部１５０に表示された候補ページの画像データ（１〜４ページ目の画像データ「Ａ」〜「Ｄ」）のうちの１つの画像データ（例えば、１ページ目の画像データ「Ａ」）が指定画像データとして操作者により指定されたとき、ページ操作制御部１４０の指定情報制御部５４０は、指定情報５１１を生成する。指定画像データは、複数台の表示装置１０（スレーブ表示装置１０−１〜１０−３、マスター表示装置１０−４）に対応する表示装置１０の台数（この場合、「４」）よりも少ない数の画像データである。指定情報５１１は、複数台の表示装置１０（スレーブ表示装置１０−１〜１０−３、マスター表示装置１０−４）のうちの、指定画像データ（１ページ目の画像データ「Ａ」）を表示している表示装置１０（この場合、スレーブ表示装置１０−１）を指定表示装置として指定するための情報である（図２４のステップＳ５０２；画像指定処理）。
【０１０１】
ここで、操作者が指定画像データ（１ページ目の画像データ「Ａ」）を指定する操作は、例えば、操作者が、表示部１５０に表示された台数分の画像データ（１〜４ページ目の画像データ「Ａ」〜「Ｄ」）のうちの、１ページ目の画像データ「Ａ」をタッチ（タップ、ダブルタップ）する操作である。本実施形態では、操作者が指定画像データ（１ページ目の画像データ「Ａ」）を指定する操作は、ダブルタップであるものとする。
【０１０２】
外部端末１００において、表示部１５０に表示された候補ページの画像データ（１〜４ページ目の画像データ「Ａ」〜「Ｄ」）に対して操作者によりページ操作が行なわれたとき、ページ操作制御部１４０は、後述のページ操作情報を制御装置３０に送信する（図２４のステップＳ５０３）。
【０１０３】
ここで、ページ操作は、表示部１５０に表示された候補ページの画像データ（１〜４ページ目の画像データ「Ａ」〜「Ｄ」）のうちの１つの画像データをタッチして、配置方向にスライドする操作、または、上記１つの画像データを配置方向にフリックする操作である。
【０１０４】
前者のページ操作は、いわゆる、ドラッグである。この場合、そのページ操作は、表示部１５０に表示された候補ページの画像データ（１〜４ページ目の画像データ「Ａ」〜「Ｄ」）のうちの１つの画像データをタッチしたまま、配置方向にスライドする操作である。
【０１０５】
例えば、図３１に示されるように、操作者が、外部端末１００の表示部１５０に表示された候補ページの画像データ（１〜４ページ目の画像データ「Ａ」〜「Ｄ」）のうちの、表示部１５０の右端に表示された画像データ（４ページ目の画像データ「Ｄ」）をタッチし、タッチした画像データ「Ｄ」を表示部１５０の左端まで配置方向にスライドする。このとき、外部端末１００のページ操作制御部１４０は、後述のページ操作情報を制御装置３０に送信する。
【０１０６】
ページ操作情報は、指定画像データ（１ページ目の画像データ「Ａ」）と、指定情報５１１と、再編成画像データとを含んでいる。再編成画像データは、次の台数分の画像データ（５〜８ページ目の画像データ「Ｅ」〜「Ｈ」）のうちの、最終ページ目の画像データ（この場合、８ページ目の画像データ「Ｈ」）から、指定画像データ（１ページ目の画像データ「Ａ」）の数（この場合、「１」）を除いた数の画像データ（この場合、５〜７ページ目の画像データ「Ｅ」〜「Ｇ」）である。
【０１０７】
制御装置３０の画像データ表示制御部３３は、外部端末１００からページ操作情報を受信していない場合は（ステップＳ５４１−Ｎｏ）、後述のステップＳ５４２をスキップする。
【０１０８】
制御装置３０の画像データ表示制御部３３は、外部端末１００からページ操作情報を受信した場合（ステップＳ５４１−Ｙｅｓ）、画像指定が有るか否かを調べる。すなわち、ページ操作情報に指定情報５１１が含まれているか否かを確認する（ステップＳ５４２）。
【０１０９】
ページ操作情報に指定情報５１１が含まれていない場合（ステップＳ５４２−Ｎｏ）、制御装置３０の画像データ表示制御部３３は、ページ操作情報に応じて、次の台数分の画像データ（５〜８ページ目の画像データ「Ｅ」〜「Ｈ」）を複数台の表示装置１０（スレーブ表示装置１０−１〜１０−３、マスター表示装置１０−４）に表示する（ステップＳ５４３）。この場合、外部端末１００の表示部１５０には、台数分の画像データ（５〜８ページ目の画像データ「Ｅ」〜「Ｈ」）が表示されている。
【０１１０】
一方、ページ操作情報に指定情報５１１が含まれている場合（ステップＳ５４２−Ｙｅｓ）、制御装置３０の画像データ表示制御部３３は、ページ操作情報に応じて、指定画像データ（１ページ目の画像データ「Ａ」）を、複数台の表示装置１０（スレーブ表示装置１０−１〜１０−３、マスター表示装置１０−４）のうちの、指定情報５１１が指定する指定表示装置（スレーブ表示装置１０−１）に表示する。また、画像データ表示制御部３３は、ページ操作情報に応じて、再編成画像データ（５〜７ページ目の画像データ「Ｅ」〜「Ｇ」）を、複数台の表示装置１０（スレーブ表示装置１０−１〜１０−３、マスター表示装置１０−４）のうちの指定表示装置（スレーブ表示装置１０−１）以外の表示装置１０（スレーブ表示装置１０−２〜１０−３、マスター表示装置１０−４）に表示する（ステップＳ５４４）。この場合、外部端末１００の表示部１５０には、１ページ目の画像データ「Ａ」と、再編成画像データ（５〜７ページ目の画像データ「Ｅ」〜「Ｇ」）とが表示されている。
【０１１１】
以上の説明により、本発明の第５実施形態に係る表示システムでは、ページ操作制御部１４０は、表示部１５０に表示された候補ページの画像データ（１〜４ページ目の画像データ「Ａ」〜「Ｄ」）のうちの、複数台の表示装置１０（スレーブ表示装置１０−１〜１０−３、マスター表示装置１０−４）に対応する表示装置の台数（この場合、「４」）よりも少ない数の画像データ（１ページ目の画像データ「Ａ」）が指定画像データとして操作者により指定されたとき、複数台の表示装置１０（スレーブ表示装置１０−１〜１０−３、マスター表示装置１０−４）のうちの、指定画像データ（１ページ目の画像データ「Ａ」）を表示している表示装置１０（スレーブ表示装置１０−１）を指定表示装置として指定するための指定情報５１１を生成し、表示部１５０に表示された候補ページの画像データに対して操作者によりページ操作が行なわれたとき、ページ操作情報を制御装置３０に送信する。ページ操作情報は、指定画像データ（１ページ目の画像データ「Ａ」）と、指定情報５１１と、次の台数分の画像データ（５〜８ページ目の画像データ「Ｅ」〜「Ｈ」）のうちの、最終ページ目の画像データ（８ページ目の画像データ「Ｈ」）から、指定画像データ（１ページ目の画像データ「Ａ」）の数（「１」）を除いた数の画像データである再編成画像データ（５〜７ページ目の画像データ「Ｅ」〜「Ｇ」）とを含んでいる。制御装置３０は、ページ操作情報に応じて、指定画像データ（１ページ目の画像データ「Ａ」）を、複数台の表示装置１０（スレーブ表示装置１０−１〜１０−３、マスター表示装置１０−４）のうちの、指定情報５１１が指定する指定表示装置（スレーブ表示装置１０−１）に表示し、再編成画像データ（５〜７ページ目の画像データ「Ｅ」〜「Ｇ」）を、複数台の表示装置１０（スレーブ表示装置１０−１〜１０−３、マスター表示装置１０−４）のうちの指定表示装置（スレーブ表示装置１０−１）以外の表示装置１０（スレーブ表示装置１０−２〜１０−３、マスター表示装置１０−４）に表示する。
【０１１２】
このように、本発明の第５実施形態に係る表示システムによれば、視聴者が数ページの画像データ（１〜４ページ目の画像データ「Ａ」〜「Ｄ」、または、１、５〜７ページ目の画像データ「Ａ」、「Ｅ」〜「Ｇ」）を一度に閲覧することができ、操作者が、１〜４ページ目の画像データ「Ａ」〜「Ｄ」から、１、５〜７ページ目の画像データ「Ａ」、「Ｅ」〜「Ｇ」にページ送りする際、そのページ送り（ページ操作）を容易に行なうことができる。特に、操作者が、説明の都合上、１ページ目の画像データ「Ａ」を提示しておきたい場合に有効である。例えば、１ページ目の画像データ「Ａ」に数式が表記され、上記数式を用いた文が５〜７ページ目の画像データ「Ｅ」〜「Ｇ」に表記されている場合に有効である。この場合、操作者が、５ページ目の画像データ「Ｅ」に対する説明を行なうときに、１ページ目の画像データ「Ａ」に何度もページ戻しを行なうような状況を回避することができる。
【０１１３】
以上のように、本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【符号の説明】
【０１１４】
１０  …  表示装置
１０−１  …  表示装置（スレーブ表示装置）
１０−２  …  表示装置（スレーブ表示装置）
１０−３  …  表示装置（スレーブ表示装置）
１０−４  …  表示装置（マスター表示装置）
１１  …  入力情報
２０  …  入力検知装置
３０  …  制御装置
３１  …  制御部
３２  …  記憶部
３３  …  画像データ表示制御部
３４  …  入力反映表示制御部
１００  …  外部端末
１１０  …  記憶部
１２０  …  制御部
１３０  …  画像データ表示制御部
１３１  …  ４画像表示制御部
１４０  …  ページ操作制御部
１５０  …  表示部
２３１  …  全画像表示制御部
３３１  …  ６画像表示制御部
４３１  …  ８画像表示制御部
５１１  …  指定情報
５４０  …  指定情報制御部
ＮＥ  …  ネットワーク
【図１】
0006430840.tif 000002
【図２】
0006430840.tif 000003
【図３】
0006430840.tif 000004
【図４】
0006430840.tif 000005
【図５】
0006430840.tif 000006
【図６】
0006430840.tif 000007
【図７】
0006430840.tif 000008
【図８】
0006430840.tif 000009
【図９】
0006430840.tif 000010
【図１０】
0006430840.tif 000011
【図１１】
0006430840.tif 000012
【図１２】
0006430840.tif 000013
【図１３】
0006430840.tif 000014
【図１４】
0006430840.tif 000015
【図１５】
0006430840.tif 000016
【図１６】
0006430840.tif 000017
【図１７】
0006430840.tif 000018
【図１８】
0006430840.tif 000019
【図１９】
0006430840.tif 000020
【図２０】
0006430840.tif 000021
【図２１】
0006430840.tif 000022
【図２２】
0006430840.tif 000023
【図２３】
0006430840.tif 000024
【図２４】
0006430840.tif 000025
【図２５】
0006430840.tif 000026
【図２６】
0006430840.tif 000027
【図２７】
0006430840.tif 000028
【図２８】
0006430840.tif 000029
【図２９】
0006430840.tif 000030
【図３０】
0006430840.tif 000031
【図３１】
0006430840.tif 000032
【図３２】
0006430840.tif 000033